(57)【要約】【課題】    安定した給紙を実現しつつ、給紙コロ部分における従動負荷を低減すると共に、その構成部品点数を削減して装置を簡略化した低コストの給紙装置を提供する。【解決手段】  積層した用紙束の先端側を載置する底板４４と、用紙束の先端が上方へ持ち上げられる方向に底板４４を動作させるスプリングと偏心カム４６と、１回の給紙動作ごとに給紙コロ４２が回転および停止するよう駆動制御する間欠駆動機構５と、給紙コロへの駆動力が伝達されていないときに、給紙コロの用紙搬送方向への回転を許すクラッチ機構４９とを備える。【選択図】        図２
2007070005.tif 000002
【特許請求の範囲】
【請求項１】
積層した用紙束から１枚ずつ用紙を繰り出して画像形成装置の搬送ローラへ搬送する給紙装置において、積層した用紙束の先端側を載置する底板と、前記用紙束の先端が上方へ持ち上げられる方向に前記底板を付勢する底板付勢手段と、前記用紙束が上方へ持ち上げられたときに、これに接触して、最上部の用紙を搬送するための給紙コロと、前記給紙コロと接触して前記最上部の用紙のみを用紙束から分離するフリクションパッドと、１回の給紙動作ごとに前記給紙コロが回転および停止するよう駆動制御する間欠駆動手段と、前記給紙コロが停止位置にあるときに、前記底板を押し下げて用紙の前記給紙コロへの接触を分離すると共に、前記給紙コロが回転されるときに、前記底板への押し下げ力を開放して用紙の前記給紙コロへの接触を許容する底板制御手段と、前記間欠駆動手段による前記給紙コロへの駆動力が伝達されていないときに、前記給紙コロの用紙搬送方向への回転を許すクラッチ手段と、を備えたことを特徴とする給紙装置。
【請求項２】
前記底板制御手段が、前記給紙コロの駆動軸に設けられて、該駆動軸の回転に伴って回転する偏心カム部材を備えたことを特徴とする請求項１の給紙装置。
【請求項３】
前記間欠駆動手段が、駆動源からの駆動力によって継続的に回転駆動する第１の歯車と、前記第１の歯車と噛み合う有歯部と前記第１の歯車と噛み合わない欠歯部とを有する第２の歯車と、前記第２の歯車の有歯部が前記第１の歯車と噛み合うように、前記第２の歯車を回転付勢する歯車付勢手段と、前記第２の歯車の欠歯部が前記第１の歯車と対抗する位置に来るように、前記第２の歯車を回動させる回転制御手段と、を備えたことを特徴とする請求項１または２の給紙装置。
【請求項４】
前記回転制御手段が、前記第２の歯車の駆動軸上に支持され、その外周面に係止部を備えた回転板と、該回転板の係止部に係合して前記歯車付勢手段による付勢方向と逆方向に所定量だけ前記第２の歯車を回動させる可動片を備えたソレノイドと、を備えたことを特徴とする請求項３の給紙装置。
【請求項５】
前記クラッチ部材による駆動軸と給紙コロとの間の噛み合わせディレイによる回転角度が、前記ソレノイドによる前記第２の歯車の回転角度以上のものであることを特徴とする請求項４に記載の給紙装置。
【請求項６】
前記間欠駆動手段が、前記給紙コロの駆動軸に遊嵌支持され、駆動源からの駆動力によって継続的に回転駆動する伝達部材と、前記給紙コロの駆動軸に固定される被伝達部材と、前記被伝達部材にその一端を固定すると共に、前記伝達部材と前記被伝達部材に巻き付き保持されて、前記伝達部材が回転駆動されるときに前記被伝達部材を連れ回りさせるスプリング部材と、外周面に係止部を備え、前記スプリング部材の他端に固定されて、該スプリング部材の回転と共に回転するカラー部材と、前記スプリング部材の前記伝達部材と前記被伝達部材への巻き付き保持力を弱める方向に、前記カラー部材の係止部に係合して、前記伝達部材による前記被伝達部材への駆動力を遮断する回転制御手段と、を備えたことを特徴とする請求項１または２の給紙装置。
【請求項７】
請求項１ないし６のいずれかの給紙装置を備えたことを特徴とする画像形成装置。
【発明の詳細な説明】
【技術分野】
【０００１】
本発明は、複写機、プリンタ、ファクシミリなどの画像形成装置に係り、特に、積層した用紙束から１枚ずつ用紙を繰り出して画像形成装置の搬送ローラへ搬送する給紙装置およびこれを備えた画像形成装置に関するものである。
【背景技術】
【０００２】
複写機、プリンタ、ファクシミリなどの画像形成装置においては、積層した用紙束から１枚ずつ用紙を繰り出して画像形成装置の搬送ローラへ搬送する給紙装置が広く採用されている。この種の給紙装置としては、特許文献１に示されるように、給紙コロとフリクションパッドによって用紙を１枚ずつ分離して給紙する給紙装置が知られている。このような給紙装置においては、用紙を搬送させるため、給紙コロと用紙との接触を給紙コロの回転時だけにし、給紙コロが１回転した後に用紙を積載している給紙カセットの底板を下降させて給紙コロと用紙との接触を解除する構成を採っている。
【０００３】
しかしながら、このような構成の給紙装置においては、給紙コロとフリクションパッドは常時当接しており、従って、当接させるための押圧力が大きいと、用紙が給紙コロの下流側に配置される搬送ローラにニップ搬送される時に給紙コロ部の従動負荷が大きくなり、用紙の搬送ムラが発生し画質不良が引き起こされることが懸念される。
【０００４】
このような問題に対して、特許文献２には、給紙シャフトと給紙コロの結合部に給紙コロを一方向にのみ回転可能にするワンウェイクラッチを設けた給紙装置が記載されている。このような給紙装置においては、前記給紙コロ部の従動負荷が低減されるが、ワンウェイクラッチが高価でコスト高となっていた。
【０００５】
また、近年では画像形成装置の小型化、低価格化の要請が高く、この種の画像形成装置に搭載される給紙装置においても部品点数を削減するなどしてその製造コストを下げることの必要性が高まっている。このような問題に関して、特許文献３には、前記給紙コロを搬送系のローラと兼用することによってその構成を簡易なものとした給紙装置が開示されている。また、関連するものに特許文献４がある。
【特許文献１】特開平１１−２６８８３８号公報
【特許文献２】特開平７−６１６２０号公報
【特許文献２】特開平９−１６９４３７号公報
【特許文献２】特開２００２−２５５３７３号公報
【発明の開示】
【発明が解決しようとする課題】
【０００６】
しかしながら、これらの給紙装置においても、依然として、その部品点数は多く、一層の装置の簡略化が望まれている。従って、本発明の目的は、安定した給紙を実現しつつ、給紙コロ部分における従動負荷を低減すると共に、その構成部品点数を削減して装置を簡略化した低コストの給紙装置を提供することにある。
【課題を解決するための手段】
【０００７】
請求項１の発明は、積層した用紙束から１枚ずつ用紙を繰り出して画像形成装置の搬送ローラへ搬送する給紙装置において、積層した用紙束の先端側を載置する底板と、前記用紙束の先端が上方へ持ち上げられる方向に前記底板を付勢する底板付勢手段と、前記用紙束が上方へ持ち上げられたときに、これに接触して、最上部の用紙を搬送するための給紙コロと、前記給紙コロと接触して前記最上部の用紙のみを用紙束から分離するフリクションパッドと、１回の給紙動作ごとに前記給紙コロが回転および停止するよう駆動制御する間欠駆動手段と、前記給紙コロが停止位置にあるときに、前記底板を押し下げて用紙の前記給紙コロへの接触を分離すると共に、前記給紙コロが回転されるときに、前記底板への押し下げ力を開放して用紙の前記給紙コロへの接触を許容する底板制御手段と、前記間欠駆動手段による前記給紙コロへの駆動力が伝達されていないときに、前記給紙コロの用紙搬送方向への回転を許すクラッチ手段と、を備えたことを特徴とする。
【０００８】
請求項２の発明は、請求項１の給紙装置において、前記底板制御手段が、前記給紙コロの駆動軸に設けられて、該駆動軸の回転に伴って回転する偏心カム部材を備えたことを特徴とする。
【０００９】
請求項３の発明は、請求項１または２の給紙装置において、前記間欠駆動手段が、駆動源からの駆動力によって継続的に回転駆動する第１の歯車と、前記第１の歯車と噛み合う有歯部と前記第１の歯車と噛み合わない欠歯部とを有する第２の歯車と、前記第２の歯車の有歯部が前記第１の歯車と噛み合うように、前記第２の歯車を回転付勢する歯車付勢手段と、前記第２の歯車の欠歯部が前記第１の歯車と対抗する位置に来るように、前記第２の歯車を回動させる回転制御手段と、を備えたことを特徴とする。
【００１０】
請求項４の発明は、請求項３の給紙装置において、前記回転制御手段が、前記第２の歯車の駆動軸上に支持され、その外周面に係止部を備えた回転板と、該回転板の係止部に係合して前記歯車付勢手段による付勢方向と逆方向に所定量だけ前記第２の歯車を回動させる可動片を備えたソレノイドと、を備えたことを特徴とする。
【００１１】
請求項５の発明は、請求項４に記載の給紙装置において、前記クラッチ部材による駆動軸と給紙コロとの間の噛み合わせディレイによる回転角度が、前記ソレノイドによる前記第２の歯車の回転角度以上のものであることを特徴とする。
【００１２】
請求項６の発明は、請求項１または２の給紙装置において、前記間欠駆動手段が、前記給紙コロの駆動軸に遊嵌支持され、駆動源からの駆動力によって継続的に回転駆動する伝達部材と、前記給紙コロの駆動軸に固定される被伝達部材と、前記被伝達部材にその一端を固定すると共に、前記伝達部材と前記被伝達部材に巻き付き保持されて、前記伝達部材が回転駆動されるときに前記被伝達部材を連れ回りさせるスプリング部材と、外周面に係止部を備え、前記スプリング部材の他端に固定されて、該スプリング部材の回転と共に回転するカラー部材と、前記スプリング部材の前記伝達部材と前記被伝達部材への巻き付き保持力を弱める方向に、前記カラー部材の係止部に係合して、前記伝達部材による前記被伝達部材への駆動力を遮断する回転制御手段と、を備えたことを特徴とする。
【００１３】
請求項７の発明は、請求項１ないし６のいずれかの給紙装置を備えたことを特徴とする画像形成装置である。
【発明の効果】
【００１４】
本発明によれば、極めて簡単な機構にて給紙コロを間欠駆動させることができるようになると共に、給紙コロの非駆動時にはこれが空転されるようになる。従って、低コストが実現できると同時に、給紙部の従動負荷と用紙搬送ムラを低減できるようになる。
【発明を実施するための最良の形態】
【００１５】
以下本発明を実施するための最良の形態を、図に示す実施例を参照して説明する。
【実施例】
【００１６】
図１は、像担持体の周上に２つの現像装置を配置した作像部が２つ並んだカラー画像形成装置の概略を示す断面図であり、画像形成装置本体に現像装置および像担持体ユニットを装着した状態を示す。カラー画像形成装置には、その略中央部に画像形成部１が配置され、この画像形成部１のすぐ下方に給紙部４が配置されている。画像形成部１の上方は、排紙収納部３が形成され、画像形成された記録紙が排紙収納される。
【００１７】
画像形成部１には、現像剤として夫々色の異なるトナーを収容した４つの現像器１１ａ、１１ｂ、１１ｃ、１１ｄ、およびこれらの現像器１１のうちの夫々２つの現像器と組み合わせて配置された像担持体ドラム１２ａ、１２ｂが備えられる。また、中間転写ベルト１３に当接する中間転写ベルト駆動ローラ１４、中間転写ベルト従動ローラ１５および１次転写ロ−ラ１６ａ、１６ｂの周りに掛け渡されて循環移動する中間転写ベルト１３で構成された中間転写ユニットが備えられる。なお１７ａ、１７ｂは、感光体を露光するレーザービームである。そして、この画像形成部１の一方の像担持体ドラム１２ａにレーザービーム１７ａが照射される。また、画像形成部１の第２の像担持体ドラム１２ｂにはレーザービーム１７ｂが照射される。これにより、前記一様な高電位に帯電している像担持体ドラム１２ａの周面が画像データに基づき選択的に露光され、この露光により電位の減衰した低電位部と前記初期化による高電位部とからなる静電潜像が形成される。現像器１１ａは前記静電潜像の低電位部（又は高電位部）にトナーを転移させてトナー像を形成（現像）する。像担持体ドラム１２ａはトナー像を回転搬送して中間転写ベルト１３に転写する。
【００１８】
この中間転写ベルト１３上の前記トナー像が像担持体ドラム１２ｂとの当接部に来るタイミングに合わせて、前記同様にもう一方の画像形成部が動作して、現像器１１ｃが像担持体ドラム１２ｂ上の静電潜像をトナー像化（現像）し、像担持体ドラム１２ｂがそのトナー像を回転搬送して中間転写ベルト１３上のトナー像に重ねて転写する。引き続き中間転写ベルト１３が循環移動し、前記の重ね転写されたトナー像が像担持体ドラム１２ａとの当接部に来るタイミングに合わせて、再び上部の画像形成部が動作し、今度は現像器１１ｂが像担持体ドラム１２ａ上の静電潜像をトナー像化し、像担持体ドラム１２ａがそのトナー像を回転搬送して中間転写ベルト１３上の重ね転写されているトナー像に更に重ねて転写する。最後に、この中間転写ベルト１３上の前記三重に転写されたトナー像が像担持体ドラム１２ｂとの当接部に来るタイミングに合わせて、再び下方の画像形成部が動作して、現像器１１ｄが像担持体ドラム１２ｂ上の静電潜像をトナー像化し、像担持体ドラム１２ｂがそのトナー像を回転搬送して中間転写ベルト１３上の三重のトナー像に更に重ねて転写する。４色のトナー像を重ね転写された中間転写ベルト１３は、循環移動を続けて前記四重のトナー像を搬送し、そのトナー像を２次転写ロ−ラ１８により用紙Ｐに転写する。転写後中間転写ベルト表面に残留するトナーは、中間転写クリーニング装置１９によって除去回収される。トナー像を得た用紙Ｐ上のトナーを定着処理する定着装置２が、前記画像形成部に対する用紙の搬送経路での下流側に配置されている。定着装置２を通過した用紙は排紙ローラ３１により排紙収納部３に排紙収納される。
【００１９】
給紙部４においては、給紙トレイ４１に未使用の記録紙が積層収容されており、給紙コロ４２とフリクションパッド４３により１枚ずつ分離され、レジストローラ６０へと搬送される。レジストローラ６０は用紙の搬送を一時止め、中間転写ベルト１３のトナー像と用紙の先端との位置関係が所定の位置になるよう、タイミングをとって回転が開始するよう、制御される。
【００２０】
図２〜図６は、本発明による給紙装置の第１の実施例を示しており、図２はその概略構成を示す斜視図、図３は図２の更に要部を反対方向から見た斜視図、図４は図３におけるクラッチ部分を更に拡大して示す斜視図、図５はその側面図、図６は間欠駆動機構を示す側面図である。
【００２１】
図２および図３において、給紙部４には、未使用の記録紙を積層収容する給紙トレイ４１が備えられる。給紙トレイ４１の用紙送り側の端部には、底板４４が、その上面が給紙トレイ４１の上面と連続する配置で、上方回動自在に取り付けられている。給紙トレイ４１に収容された用紙束の先端は、この底板４４上に載置され、底板４４が上方へ回動されると、上方へ持ち上げられ（矢印Ａ方向）、その最上部の用紙は給紙コロ４２に接触するようになる。底板４４は、ここでは図示しないスプリングによって常時上方へ回動する方向へ付勢されている。
【００２２】
底板４４の上部中央には、給紙コロ４２とフリクションパッド４３が配置されており、給紙コロ４２は回転軸４７に軸支され、この回転軸４７に与えられる駆動力によって用紙送り方向に回転駆動される。この給紙コロの回転軸４７には、偏心カム４６が設けられており、このちょうど真下に、底板４４の側壁上に形成されたカム受け面４４ａが来るように配置されている。給紙コロ４２が停止位置にあるときに、偏心カム４６の長径部分が底板のカム受け面４４ａに当接され、これによって前述のスプリングの付勢力に抗して底板４４を下方に押し下げるように作用して、その結果、用紙束最上部の用紙が給紙コロ４２から離れる位置に来る。一方で、制御部から給紙を開始する信号が給紙装置に送られると、後述する駆動機構を介して回転軸４７が駆動され、これによって、給紙コロ４２の回転が開始されると共に、偏心カム４６が底板のカム受け面４４ａから外れる。偏心カム４６が外れることによって、底板４４は、スプリングの力によって上方回動され、用紙束の先端側を持ち上げ、よってその最上部の用紙が回転駆動している給紙コロ４２に接触する。最上部の用紙は、給紙コロ４２の回転力により下流側に引き出され、フリクションパッド４３によって他の用紙束から分離され、レジストローラ６０へと搬送される。用紙の先端がレジストローラ６０のニップに突き当てられた時点で、給紙コロ４２は略１回転され、元の状態、すなわち偏心カム４６が底板４４を押し下げた状態に戻って停止する。レジストローラ６０は用紙の搬送を一時止め、中間転写ベルト１３のトナー像と用紙の先端との位置関係が所定の位置になるよう、タイミングをとってその回転が開始される。レジストローラ６０によって用紙が搬送されるとき、給紙コロ４２への駆動力は停止されているが、後述するクラッチ機構によって給紙コロ４２はフリーとなりレジストローラ６０に連れ回りするようになる。なお、図２および図３には、間欠駆動機構５が示されているが、これについても後述する。
【００２３】
次に、図４および図５に沿って、給紙コロ４２のクラッチ機構について説明する。これら図において、給紙コロ４２は、その回転軸４７に対し遊嵌支持されており、これから説明するクラッチ機構によってその駆動力を伝達可能になっている。給紙コロ４２の回転軸４７には、ピン４８が所定の位置に固定されており、また給紙コロ４２の端部にはクラッチ係合部４２ａが一体的に設けられている。そして、このピン４８とクラッチ係合部４２ａの間には、その間で軸方向に移動可能にされたクラッチ部材４９が配置されている。クラッチ部材４９には、給紙コロ４２のクラッチ係合部４２ａに係合可能な係合部４９ａと、ピン４８と係合可能なテーパー面を有する切り欠き部４９ｂが形成されている。
【００２４】
給紙コロ４２の回転軸４７が給紙方向に回転すると、ピン４８は、クラッチ部材の切り欠き部４９ｂ内を移動し、そのテーパー面によってクラッチ部材４９を図中矢印ａ方向に移動させて、給紙コロ４２のクラッチ係合部４２ａとクラッチ部材４９の係合部４９ａが係合するようにする。これによって回転軸４７の駆動力が給紙コロ４２に伝達される。一方で、回転軸４７が停止状態にあり、レジストローラ６０の回転により給紙コロ４２が連れ回りをする時、クラッチ部材４９は図の矢印ｂ方向に押されて、クラッチ部材４９の係合部４９ａと給紙コロ４２のクラッチ係合部４２ａとの係合が解除される。これによって、給紙コロ４２の連れ回り回転が回転軸４７側には伝わらないので、従動負荷が低減される。
【００２５】
次に、図６に沿って、給紙コロ４２を間欠駆動する機構について説明する。図において、駆動力伝達手段である駆動歯車５１は、板金製のフレーム５０に取り付けられた軸５２に回転自在に支持されている。そして、駆動歯車５１は、図示しない駆動源であるモータおよび歯車列５０ａによって常時、図示矢印（反時計回り）方向に回転し、その全周には歯５１ａが形成されている。この駆動歯車５１は、フレーム５０のほぼ中央に枢支された軸４７の端部に固定された従動歯車５３が噛合している。この従動歯車５３は、その周面の一部に欠歯部５３ｂを有しており、この欠歯部５３ｂが駆動歯車５１の対向位置に来ているときには、これと噛み合わなくなる。
【００２６】
従動歯車５３の一側面には、切欠カム５３ｃが同軸上に一体的に形成されている。切欠カム５３ｃの側面には保持ピン５３ｄが突設され、この保持ピン５３ｄとフレームの保持部５４との間に付勢手段としての引張バネ５５を張設され、常時、従動歯車５３を時計回り方向に付勢している。また、切欠カム５３ｃの外周面には係止部５３ｅが形成されており、これが、制御部によって駆動制御されるソレノイド５６の可動片５６ａと係合するように配置されている。
【００２７】
前述の構成において、駆動歯車５１は装置の動作時において常時回転駆動されている。給紙命令が送信される前において、ソレノイド５６はオフの状態にあり、その可動片５６ａは、切欠カム５３ｃの係止部５３ｅに係合した状態にある。可動片５６ａの係合によって切欠カム５３ｃ延いては従動歯車５３は、引張バネ５５の付勢力に抗して図中反時計方向に回動され、従動歯車の欠歯部５３ｂが駆動歯車５１の歯５１ａに対向する位置に配置される。この結果、駆動歯車５１の回転力は従動歯車５３には伝わらなくなり、給紙コロ４２は停止された状態となる。
【００２８】
一方で、給紙命令が送信されると、ソレノイド５６がオンの状態となって、その可動片５６ａが駆動される。これによって可動片５６ａの先端が切欠カム５３ｃの係止部５３ｅから外れ、切欠カム５３ｃ延いては従動歯車５３は、引張バネ５５の付勢力に従って図中時計方向に回動され、従動歯車の有歯部５３ａが駆動歯車５１の歯５１ａに接触する位置に配置される。この結果、駆動歯車５１の回転力は従動歯車５３に伝えられるようになり、回転軸４７を通して給紙コロ４２が回転駆動されることとなる。ソレノイド５６は、給紙命令を受けたときに一旦オンとされるが、従動歯車５３に駆動歯車５１の駆動力が伝えられると、直ぐにオフとされる。このため、その可動片５６ａは、切欠カム５３ｃが１回転したときに再度係止部５３ｅに係合して、駆動歯車５１の従動歯車５３への動力伝達を遮断する。なお、実施例では給紙コロ４２の回転軸４７に従動歯車５３を軸支した構成となっているが、給紙コロ４２の搬送距離を長くするため、回転軸４７と従動歯車５３の間に減速機構を設けても良い。
【００２９】
次に、間欠駆動機構の他の実施例について説明する。図７および図８は、他の実施例に係る間欠駆動機構を備えた給紙装置を示しており、それぞれその斜視図、および間欠駆動機構部分の分解斜視図である。これら図において、伝達部材としての駆動歯車５１が、給紙コロ４２の回転軸４７に回転自在に遊嵌支持されている。駆動歯車５１は、図示しない駆動源であるモータおよび歯車列によって、常時、給紙方向に回転している。回転軸４７には被伝達部材としてのクラッチハブ部材５７が固定されており、駆動歯車５１とクラッチハブ部材５７の円筒部分には、コイルスプリング５８が同軸上に巻き付き保持されている。コイルスプリング５８は、駆動歯車５１が給紙方向に回転するときに噛み込む方向に巻かれており、その一端の固定部５８ａは、クラッチハブ部材５７に固定される。このような構成において、駆動歯車５１の回転力は、このコイルスプリング５８を介してクラッチハブ部材５７に伝えられて、回転軸４７は回転駆動される。
【００３０】
コイルスプリング５８の他端には係合部５８ｂが設けられており、この係合部５８ｂは、コイルスプリング５８の外周面に配置されるカラー部材５９の係合部５９ａと係合される。カラー部材５９の外周面には、切欠カム５９ｂが形成されており、これが図７に示すソレノイド５６の可動片５６ａに係合するようになっている。ソレノイドの可動片５６ａがカラー部材５９の切欠カム５９ｂに係合した状態においては、コイルスプリング５８の駆動歯車５１円筒部分への巻き付け力は解除され、従って、この状態では駆動歯車５１はコイルスプリング５８に対して空回りして、その回転力は回転軸４７へは伝わらない。すなわち、給紙命令が送信される前において、ソレノイド５６はオフの状態にあり、その可動片５６ａは、切欠カム５９ｂに係合した状態にある。可動片５６ａの係合によって駆動歯車５１の回転力は回転軸４７には伝わらなくなり、給紙コロ４２は停止された状態となる。一方で、給紙命令が送信されると、ソレノイド５６がオンの状態となって、その可動片５６ａが駆動される。これによって可動片５６ａの先端が切欠カム５９ｂから外れ、コイルスプリング５８が駆動歯車５１の円筒部分へ噛み込む方向に巻かれることが許容される。この結果、駆動歯車５１の回転力はこのコイルスプリング５８を介してクラッチハブ部材５７、回転軸４７へと伝えられ、給紙コロ４２が回転駆動されることとなる。ソレノイド５６は、給紙命令を受けたときに一旦オンとされるが、回転軸４７に駆動歯車５１の駆動力が伝えられると、直ぐにオフとされる。このため、その可動片５６ａは、カラー部材５９が１回転したときに再度切欠カム５９ｂに係合して、駆動歯車５１の回転軸４７への動力伝達を遮断する。
【００３１】
以上により、低コスト、構造簡単、コンパクトで、かつ、給紙コロ部の従動負荷を低減した給紙装置を提供できるようになる。
【図面の簡単な説明】
【００３２】
【図１】本発明の給紙装置を備えたカラー画像形成装置の概略を示す断面図である。
【図２】本発明の一実施例に係る給紙装置の概略構成を示す斜視図である。
【図３】図２の要部を反対方向から見た斜視図である。
【図４】図３におけるクラッチ部分を更に拡大して示す斜視図である。
【図５】図４の側面図である。
【図６】間欠駆動機構を示す側面図である。
【図７】他の実施例に係る間欠駆動機構を備えた給紙装置の斜視図である。
【図８】図７の間欠駆動機構部分の分解斜視図である。
【符号の説明】
【００３３】
１  画像形成部
２  定着装置
３  排紙収納部
４  給紙部
１１ａ、１１ｂ、１１ｃ、１１ｄ  現像器
１２ａ、１２ｂ  像担持体ドラム
１３  中間転写ベルト
１４  駆動ローラ
１５  中間転写ベルト従動ローラ
１６ａ、１６ｂ  １次転写ローラ
１７ａ、１７ｂ  レーザービーム
４１  給紙トレイ
４２  給紙コロ
４２ａ  クラッチ係合部
４３  フリクションパッド
４４  底板
４４ａ  カム受け面
４６  偏心カム
４７  回転軸
４８  ピン
４９  クラッチ部材
４９ｂ  切り欠き部
５０  フレーム
５０ａ  歯車列
５１  駆動歯車
５１ａ  歯
５２  軸
５３  従動歯車
５３ａ  有歯部
５３ｂ  欠歯部
５３ｃ  切欠カム
５３ｅ  係止部
５３ｄ  保持ピン
５４  保持部
５５  引張バネ
５６  ソレノイド
５６ａ  可動片
５７  クラッチハブ部材
５８  コイルスプリング
５８ａ  固定部
５８ｂ  係合部
５９  カラー部材
５９ａ  係合部
５９ｂ  切欠カム
６０  レジストローラ
【図１】
2007070005.tif 000003
【図２】
2007070005.tif 000004
【図３】
2007070005.tif 000005
【図４】
2007070005.tif 000006
【図５】
2007070005.tif 000007
【図６】
2007070005.tif 000008
【図７】
2007070005.tif 000009
【図８】
2007070005.tif 000010